(57)【要約】【課題】排便後の臭気を積極的に吸引し、ハウジング内に漂う臭気の総てを脱臭できるようにしたペット用トイレを提供する。【解決手段】本発明は、ペットの出入口を有するハウジングに、内部空気の排出路と、該排出路に内部空気を誘導する排気手段と、排気中の臭気を吸着する臭気吸着ボックスとを備えたことを特徴とし、ペットによる排便後、ハウジング内に漂う臭気を含む内部空気は排気手段により排出路に誘導され、臭気が臭気吸着ボックスにて除去されてハウジング外（人間の室内）に放出されるように構成した。【選択図】図１
2006000074.tif 000002
【特許請求の範囲】
【請求項１】
ペットの出入口を有するハウジングに、内部空気の排出路と、該排出路に内部空気を誘導する排気手段と、排気中の臭気を吸着する臭気吸着ボックスとを備えたことを特徴とするペット用トイレ。
【請求項２】
前記排気手段が、電動ファンからなり、該電動ファンはハウジングからペットが外出したことを感知して作動するようになっていることを特徴とする請求項１に記載のペット用トイレ。
【請求項３】
前記排気手段が、前記ハウジングの天井部に通じる煙突状の排出路内に設置した電球であることを特徴とする請求項１に記載のペット用トイレ。
【発明の詳細な説明】
【技術分野】
【０００１】
本発明は、人間と共同生活をするペットに対して排便マナーをしつけるためのペット用トイレに関するものである。
【背景技術】
【０００２】
近年、家の中でペットを飼育している者が多くなっている。ペットを飼育する条件は容姿が美しくかわいらしいこと、正確が明るく陽気で行動に愛嬌があることなどが挙げられるが、人間と共同生活をするのであるから、食事や排便などのマナーは幼時にしっかりとしつけることが必要である。このための一つのグッズとしてペット用トイレがある。
【０００３】
上記ペット用トイレとして、前板の一部に猫が出入りできる開口部を設けてある箱の底部に、砂やシートを敷くための引き出しを設けた猫のトイレ（特開平８−３２２４１７）があった。これはトイレ部分を引き出し式にすることによって周囲に臭気を飛散させ難くし、汚れた砂やシートの交換を容易にしたものである。また、市販されているものに、底に砂やシートなどが敷けるようになっているハウジングに、内部空気が触れる位置に活性炭からなる粒状物を収容した袋（活性炭収容袋）を設置するスペースを設けたペット用トイレがある。
【特許文献１】特開平８−３２２４１７
【発明の開示】
【発明が解決しようとする課題】
【０００４】
しかしながら、前者の「猫のトイレ」は、猫が出入りする大きな開口部があるため、その開口部から臭気が人間の暮らす室内に漏れることがあった。また、後者の市販のペット用トイレは、ハウジング内に漂う臭気の総てが活性炭収容袋に触れることはなく、充分な消臭効果が期待できなかった。
【０００５】
本発明は、上記の課題を解消するためのもので、その目的とするところは、排便後の臭気を積極的に吸引し、ハウジング内に漂う臭気の総てを脱臭できるようにしたペット用トイレを提供することにある。
【課題を解決するための手段】
【０００６】
上記目的を達成するため、本発明に係るペット用トイレは、ペットの出入口を有するハウジングに、内部空気の排出路と、該排出路に内部空気を誘導する排気手段と、排気中の臭気を吸着する臭気吸着ボックスとを備えたことを特徴とするものである。
【０００７】
また、請求項２に記載の発明に係るペット用トイレは、前記排気手段が、電動ファンからなり、該電動ファンはハウジングからペットが外出したことを感知して作動するようになっていることを特徴とするものである。
【０００８】
さらに、請求項３に記載の発明に係るペット用トイレは、前記排気手段が、前記ハウジングの天井部に通じる煙突状の排出路内に設置した電球であることを特徴とするものである。
【発明の効果】
【０００９】
本発明に係るペット用トイレによれば、ペットによる排便後、ハウジング内に漂う臭気を含む内部空気は排気手段により排出路に誘導され、臭気が臭気吸着ボックスにて除去されてハウジング外（人間の室内）に放出されることとなる。したがって、ハウジング内には臭気吸着ボックスに通じる空気の流れが形成されるため、ハウジングにペットの出入口が大きく開口していても、これにより臭気を含む内部空気がハウジング外に漏れ出て人間の室内に放散されることがないという優れた効果を奏するものである。
【００１０】
また、請求項２に記載の発明に係るペット用トイレによれば、ペットが排便を済ませ、ハウジングから外出したあとで排気手段である電動ファンが作動するため、排便のために入ったペットが電動ファンの作動音により驚かされることがなく、静かに排便を済ませることができるという優れた効果を奏するものである。
【００１１】
さらに、請求項３に記載の発明に係るペット用トイレによれば、ハウジングの天井部に通じる煙突状の排出路内に設置した電球（５ワット程度の電球でよい）を常時点灯させておくことにより、該電球の熱により排出路内にはハウジング内から外に向かう空気の流れが自然にでき、該流れに乗ってハウジング内の臭気は臭気吸着ボックスにて除去されてハウジング外に放出されることとなる。この場合には電動ファンを不要にするから全体のコストを安価に設定できるばかりでなく、電動ファンの作動音も一切問題にならないという優れた効果を奏するものである。
【発明を実施するための最良の形態】
【００１２】
次に、本発明の実施の最良の態様を図面に基いて説明する。図１は本願ペット用トイレの外観斜視図、図２は排気手段として電動ファンを備えた本願ペット用トイレの側面断面図、図３は電動ファンからなる排気手段を示す拡大断面図、図４は排気手段として電球を備えた本願ペット用トイレの側面断面図である。
【００１３】
１はハウジングで、該ハウジング１はプラスチック素材よりなる底側２とカバー側３とからなる。カバー側３にはペット（猫を想定）の出入口４を有している。この底側２の側壁上縁のカール部２′と、カバー側３の側壁下縁のカール部３′とは素材の弾性を利用して嵌め合い結合できるようになっている（別な結合手段を採用してもよい）。前記底側２内には、排便後の処理を容易にするための砂（シートでもよい）Ｓが敷かれ、交換可能にしている。
【００１４】
前記ハウジング１のカバー側３の天井部には内部空気の排出路５を設けている。この内部空気は排気手段６により誘導され、排出路５を通してハウジング外（人間の室内）に排気されるようになっている。前記排出路５には、ハウジング１内に漂っている臭気を吸着するための臭気吸着ボックス７が着脱（交換）可能に備えられている。該臭気吸着ボックス７の設置位置は、図２及び図３においては排気手段６の下流側（後）になっているが、その上流側（前）であってもよいことは勿論である。
【００１５】
前記排気手段６は、図２、図３の例では、排出路５内に電動ファン６ａを備えている。該電動ファン６ａのモータ６ｂは、プリント基板６ｃ、ＩＣ６ｄ、抵抗６ｅなどからなる制御回路を経てコード６ｆが延出され、プラグ６ｇにより室内コンセント（図示せず）に接続できるようになっている。前記電動ファン６ａはハウジング１内に入ったペット（図示せず）がハウジング１から外に出たときに作動するようになっている。換言すれば、ペットが排便（幼時よりしっかりとしつけておく）のためにハウジング１に入った途端に電動ファン６ａが作動すると、その音や振動でペットが驚かされることを避けるようにし、静かに排便できるようにしている。
【００１６】
しかして、前記ハウジング１内には、例えば、ペットの体温（あるいはペットの動き）等によりペットの出入りを感知するセンサー８を設け、該センサー８がペットの「入り」を感知したときはカバー側３の天井外面に設けたパネル９の第１ランプ（発光ダイオードなどからなる）１０ａを輝光させ、人間（飼育者）に「排便中」を知らせる。前記センサー８はペットの「外出」を感知したときは、前記パネル９の第２ランプ１０ｂを輝光させるとともに第３ランプ１０ｃを輝光させる。この第３ランプ１０ｃの輝光は、前記電動ファン６ａが作動していることを示すためのものである。該電動ファン６ａの作動時間は、臭気を臭気吸着ボックス７に吸着させるために必要な時間、例えば、５〜７分をタイマー（図示せず）により制御できるようにしている。なお、センサー８には感度を維持するためセンサーカバー８′が被覆されている。
【００１７】
前記排気手段６は、前述の如く、電動ファン６ａに代え、前記ハウジング１内の天井内部に設けた排出路５に通じる煙突状の排出路５′を設け、該排出路５′内に電球（５ワット程度）１１を設置し、これを常時点灯させておくことにより、該電球１１の熱により排出路５、５′内にハウジング１の「内から外」に向かう空気の自然な流れを作り、この流れに乗せて臭気を臭気吸着ボックス７を通して除去できるように構成されている。この場合、臭気吸着ボックス７は、排気手段６の上流側（前）に設置されている。この電球設置の排気手段６では、前記電動ファン及びその制御回路が不要になるから、全体的にコストの低原価化が期待できると同時に、電動ファンの振動や作動音も一切問題にならないこととなる。
【００１８】
前記臭気吸着ボックス７は、ハウジング１に設けた結着部１２に差込み可能なボックス本体７ａ内に、ハニカム活性炭、触媒などを配した臭気吸着フィルター７ｂを内蔵している。この臭気吸着フィルターは明確に図示していないが、空気の通り抜けが良好で、高臭気吸着能力（市販の活性炭収容袋に比し７〜１０倍）を有してものである。勿論、活性炭以外の臭気吸着物質（例えば、シリカゲルなど）を利用したものであってもよい。
【００１９】
次に、上記実施態様に示した本願ペット用トイレ（排気手段６として電動ファン６ａを備えたもの）の作用について説明する。ペットには人間と共同生活をするためにハウジング１の底側２内に敷いた砂やシート上で排便する排便マナーを幼時からしつけておくことが必要である。
【００２０】
上記しつけが出来ているペット（主に猫）が、排便のために出入口４を通ってハウジング１内に入ると、該ハウジング１内に設置したセンサー８が作動し、第１ランプ１０ａを輝光させて人間（飼育者）に「排便中」を知らせる。排便後、ペットがハウジングを出ると、センサー８が作動して第２ランプ１０ｂを輝光させ、電動ファン６ａが一定時間（５〜７分程度）作動し、ハウジング１内の臭気を排出路５を通して臭気吸着ボックス７に吸着させる。この電動ファン６ａの作動中は第３ランプ１０ｃを輝光している。
【００２１】
本願ペット用トイレでは、ペットがハウジング１内に入っただけでは電動ファン６ａが作動しないために、ペットが電動ファンの振動や作動音により驚かされることがなく、静かに排便を済ませることが可能となる。
【００２２】
また、排便後ハウジング１内に漂っている臭気は、内部空気とともに排出路５を通して臭気吸着ボックス７に向かう強制的な流れに乗せるため、ペットの出入口４が大きく開口していても、その開口より臭気が人間の室内に漏れ出ることが一切ない。
【産業上の利用可能性】
【００２３】
本願ペット用トイレは、ハウジング１の形態、大きさ及びカラーリングなどを選ぶことにより人間（飼育者）の室内の家具などにマッチさせることができ、猫や犬など、あらゆるペットのためのトイレとして違和感なく使用することが可能となる。
【図面の簡単な説明】
【００２４】
【図１】本願ペット用トイレの外観斜視図である。
【図２】排気手段が電動ファンである本願ペット用トイレの側面断面図である。
【図３】電動ファンを備えた排気手段の拡大断面図である。
【図４】排気手段が電球である本願ペット用トイレの側面断面図である。
【符号の説明】
【００２５】
１  ハウジング
２  底側
２′  カール部
３  カバー側
３′  カール部
４  出入口
５  排出路
５′  排出路
６  排気手段
６ａ  電動ファン
６ｂ  モータ
６ｃ  プリント基板
６ｄ  ＩＣ
６ｅ  抵抗
６ｆ  コード
６ｇ  プラグ
７  臭気吸着ボックス
７ａ  ボックス本体
７ｂ  臭気吸着フィルター
８  センサー
８′  センサーカバー
９  パネル
１０ａ  第１ランプ（発光ダイオードなどよりなる）
１０ｂ  第２ランプ（同）
１０ｃ  第３ランプ（同）
１１  電球
１２  結着部
Ｓ  砂
【図１】
2006000074.tif 000003
【図２】
2006000074.tif 000004
【図３】
2006000074.tif 000005
【図４】
2006000074.tif 000006